【手続補正書】
【提出日】平成17年2月10日(2005.2.10)
【手続補正１】
【補正対象書類名】明細書
【補正対象項目名】発明の名称
【補正方法】変更
【補正の内容】
【発明の名称】印刷処理システム及び印刷処理方法、並びにプリンタ並びにサーバ
【手続補正２】
【補正対象書類名】明細書
【補正対象項目名】特許請求の範囲
【補正方法】変更
【補正の内容】
【特許請求の範囲】
【請求項１】
印刷データを入力して印刷要求を行うクライアントと、前記印刷データを印刷するプリンタと、前記クライアント及び前記プリンタを接続するネットワークとを備えた印刷処理システムにおいて、
前記クライアントは、ワープロ文書や画像などの印刷データを入力して前記プリンタに送信するデータ入力手段を備え、
前記プリンタは、
前記印刷データをプリンタ記述言語に変換するための変換情報を記憶する記憶手段と、
前記記憶手段から前記変換情報を読み出す変換情報提供手段と、
前記印刷データに対応する変換情報を、前記変換情報提供手段から渡された前記変換情報から検索する印刷データ変換情報検索手段と、
前記印刷データ変換情報検索手段で検索された変換情報に基づいて、前記クライアントからの前記印刷データを前記プリンタ記述言語に変換する印刷データ変換手段と、
前記印刷データ変換手段で変換された前記プリンタ記述言語を印刷する印刷手段と、
を備える、
ことを特徴とする印刷処理システム。
【請求項２】
印刷データを入力して印刷要求を行うクライアントと、前記印刷データを印刷するプリンタと、印刷に必要な変換情報を有するサーバと、前記クライアント、前記プリンタ及び前記サーバを接続するネットワークとを備えた印刷処理システムにおいて、
前記クライアントは、ワープロ文書や画像などの印刷データを入力して前記プリンタに送信するデータ入力手段を備え、
前記サーバは、
前記印刷データをプリンタ記述言語に変換するための変換情報を記憶する記憶手段と、
前記記憶手段から前記変換情報を読み出す変換情報提供手段と、
前記印刷データに対応する変換情報を、前記変換情報提供手段から渡された前記変換情報から検索する印刷データ変換情報検索手段と、
を備え、
前記プリンタは、
前記サーバの前記印刷データ変換情報検索手段で検索された変換情報に基づいて、前記クライアントからの前記印刷データを前記プリンタ記述言語に変換する印刷データ変換手段と、
前記印刷データ変換手段で変換された前記プリンタ記述言語を印刷する印刷手段と、
を備える、
ことを特徴とする印刷処理システム。
【請求項３】
印刷データを入力して印刷要求を行うクライアントと、前記印刷データを印刷するプリンタと、印刷に必要な変換情報を有するサーバと、前記クライアント、前記プリンタ及び前記サーバを接続するネットワークとを備えた印刷処理システムにおいて、
前記クライアントは、ワープロ文書や画像などの印刷データを入力して前記プリンタに送信するデータ入力手段を備え、
前記サーバは、
前記印刷データをプリンタ記述言語に変換するための変換情報を記憶する第１の記憶手段と、
前記第１の記憶手段から前記変換情報を読み出す第１の変換情報提供手段と、
前記印刷データに対応する第１の変換情報を、前記第１の変換情報提供手段から渡された前記変換情報から検索する第１の印刷データ変換情報検索手段と、
前記第１の印刷データ変換情報検索手段で検索された第１の変換情報に基づいて、前記クライアントからの前記印刷データを前記プリンタ記述言語に変換する第１の印刷データ変換手段と、を備え、
前記プリンタは、
前記印刷データをプリンタ記述言語に変換するための変換情報を記憶する第２の記憶手段と、
前記第２の記憶手段から前記変換情報を読み出す第２の変換情報提供手段と、
前記印刷データに対応する第２の変換情報を、前記第２の変換情報提供手段から渡された前記変換情報から検索する第２の印刷データ変換情報検索手段と、
前記第２の印刷データ変換情報検索手段で検索された第２の変換情報、または前記サーバの前記第１の印刷データ変換情報検索手段で検索された前記第１の変換情報に基づいて、前記クライアントからの前記印刷データを前記プリンタ記述言語に変換する第２の印刷データ変換手段と、
前記第２の印刷データ変換手段で変換された前記プリンタ記述言語、または前記サーバの前記第１の印刷データ変換手段で変換された前記プリンタ記述言語を印刷する印刷手段と、
を備える、
ことを特徴とする印刷処理システム。
【請求項４】
ネットワークに接続されているクライアントからの印刷データをプリンタで印刷する印刷処理方法であって、
（Ａ）印刷データをクライアントからプリンタに送信し、
（Ｂ）前記プリンタで、前記印刷データが印刷できるデータか否かを判断し、
（Ｃ）前記印刷データが印刷できないデータの場合は、前記印刷データに対応する変換情報を検索し、
（Ｄ）前記変換情報に基づいて前記印刷データを印刷できるデータに変換し、
（Ｅ）前記印刷できるデータを印刷する、
ことを特徴とする印刷処理方法。
【請求項５】
前記ネットワークには、サーバが接続されており、
前記ステップ（Ｃ）で、前記印刷データに対応する変換情報が検出できなかった場合、
（Ｃ１）前記サーバに前記印刷データを送信し、
（Ｃ２）前記サーバで、前記印刷データに対応する変換情報を検出し、
（Ｃ３）前記印刷データに対応する変換情報を前記プリンタに送信する、
ことを特徴とする請求項４記載の印刷処理方法。
【請求項６】
前記ネットワークには、サーバが接続されており、
前記ステップ（Ｃ）で、前記印刷データに対応する変換情報が検出できなかった場合、
（Ｃ１）前記サーバに前記印刷データを送信し、
（Ｃ２）前記サーバで、前記印刷データに対応する変換情報を検出し、
前記ステップ（Ｄ）に換えて、
（Ｄ１）前記サーバで、前記変換情報に基づいて前記印刷データを印刷できるデータに変換し、
（Ｄ２）前記印刷できるデータを前記プリンタに送信する、
ことを特徴とする請求項４記載の印刷処理方法。
【請求項７】
印刷要求を行うクライアント端末と、前記印刷要求に伴い印刷を行うプリンタと、が接続される印刷処理システムであって、
前記クライアント端末は、データを入力可能で且つ前記印刷要求を行うことが可能なデータ入力手段を有し、
前記プリンタは、前記クライアント端末から受信した前記データをプリンタ記述言語に変換するための変換情報を記憶する記憶手段と、前記記憶手段から前記変換情報を読み出す変換情報提供手段と、前記データに対応する変換情報を、前記変換情報提供手段にて読み出された前記変換情報から検索するデータ変換情報検索手段と、前記データ変換情報検索手段の検索により選定された前記データに対応する変換情報に基づいて前記データを前記プリンタ記述言語に変換するデータ変換手段と、前記データ変換手段で変換された前記プリンタ記述言語を印刷する印刷手段と、を有することを特徴とする印刷処理システム。
【請求項８】
前記クライアント端末と前記プリンタとがネットワークを介して接続されることを特徴とする請求項７記載の印刷処理システム。
【請求項９】
印刷要求を行うクライアント端末と、前記印刷要求に伴い印刷を行うプリンタと、前記クライアント端末及び前記プリンタとの通信が可能となるサーバと、がネットワークを介して接続される印刷処理システムであって、
前記クライアント端末は、データを入力可能で且つ前記印刷要求を行うことが可能なデータ入力手段を有し、
前記サーバは、前記データをプリンタ記述言語に変換するための変換情報を記憶する記憶手段と、前記記憶手段から前記変換情報を読み出す変換情報提供手段と、前記データに対応する変換情報を、前記変換情報提供手段にて読み出された前記変換情報から検索する印刷データ変換情報検索手段とを有し、
前記プリンタは、前記サーバの前記印刷データ変換情報検索手段での検索により選定された前記データに対応する変換情報に基づいて前記データを前記プリンタ記述言語に変換する印刷データ変換手段と、前記印刷データ変換手段で変換された前記プリンタ記述言語を印刷する印刷手段とを有することを特徴とする印刷処理システム。
【請求項１０】
印刷要求を行うクライアント端末と、前記印刷要求に伴い印刷を行うプリンタと、前記クライアント端末及び前記プリンタとの通信が可能となるサーバと、がネットワークを介して接続される印刷処理システムであって、
前記クライアント端末は、データを入力可能で且つ前記印刷要求を行うことが可能なデータ入力手段を有し、
前記サーバは、前記データをプリンタ記述言語に変換するための変換情報を記憶する第１の記憶手段と、前記第１の記憶手段から前記変換情報を読み出す第１の変換情報提供手段と、前記データに対応する第１の変換情報を、前記第１の変換情報提供手段により読み出された前記変換情報から検索する第１の印刷データ変換情報検索手段と、    前記第１の印刷データ変換情報検索手段での検索により選定された前記データに対応する第１の変換情報に基づいて、前記クライアントからの前記データを前記プリンタ記述言語に変換する第１の印刷データ変換手段と、を有し、
前記プリンタは、前記データをプリンタ記述言語に変換するための変換情報を記憶する第２の記憶手段と、前記第２の記憶手段から前記変換情報を読み出す第２の変換情報提供手段と、前記印刷データに対応する第２の変換情報を、前記第２の変換情報提供手段にて読み出された前記変換情報から検索する第２の印刷データ変換情報検索手段と、前記第２の印刷データ変換情報検索手段での検索により選定された前記データに対応する第２の変換情報または前記サーバの前記第１の印刷データ変換情報検索手段での検索により選定された前記第１の変換情報に基づいて、前記クライアントからの前記データを前記プリンタ記述言語に変換する第２の印刷データ変換手段と、前記第２の印刷データ変換手段で変換された前記プリンタ記述言語または前記サーバの前記第１の印刷データ変換手段で変換された前記プリンタ記述言語を印刷する印刷手段と、を有することを特徴とする印刷処理システム。
【請求項１１】
受信したデータをプリンタ記述言語に変換するための変換情報を記憶する記憶手段と、前記記憶手段から前記変換情報を読み出す変換情報提供手段と、前記データに対応する変換情報を、前記変換情報提供手段にて読み出された前記変換情報から検索するデータ変換情報検索手段と、前記データ変換情報検索手段の検索により選定された前記データに対応する変換情報に基づいて前記データを前記プリンタ記述言語に変換するデータ変換手段と、前記データ変換手段で変換された前記プリンタ記述言語を印刷する印刷手段と、を有することを特徴とするプリンタ。
【請求項１２】
データをプリンタ記述言語に変換するための変換情報を記憶する記憶手段と、前記記憶手段から前記変換情報を読み出す変換情報提供手段と、前記データに対応する変換情報を、前記変換情報提供手段にて読み出された前記変換情報から検索する印刷データ変換情報検索手段と、を有することを特徴とするサーバ。
【手続補正３】
【補正対象書類名】明細書
【補正対象項目名】０００１
【補正方法】変更
【補正の内容】
【０００１】
【発明の属する技術分野】
本発明は、プリンタで印刷を行う印刷処理システムまたはプリンタそのものに関し、例えば、ネットワークに接続された場合には、プリンタで印刷を行う印刷処理システム及び印刷処理方法に関し、また、サーバが存在する場合は、サーバにも関する。なお、特には、クライアントで印刷用のデータ（プリンタ記述言語）を生成するアプリケーションやプリンタドライバを備えずにネットワークに接続されたプリンタで印刷を行う場合の印刷処理システム及び印刷処理方法に適用可能なものである。
【手続補正４】
【補正対象書類名】明細書
【補正対象項目名】０００６
【補正方法】変更
【補正の内容】
【０００６】
したがって、上記の点に鑑み、本発明の目的は、アプリケーションとプリンタドライバを備えていない端末からでもデータの印刷処理を行うことができる印刷処理システム及び印刷処理方法並びにプリンタ、サーバを提供することである。
【手続補正５】
【補正対象書類名】明細書
【補正対象項目名】００１３
【補正方法】変更
【補正の内容】
【００１３】
プリンタまたはサーバで印刷データをプリンタ記述言語に変換するため、クライアント側で印刷データを取り扱えるアプリケーションやプリンタを制御するプリンタドライバを備える必要がない。そのため、ハードウェア資源の乏しい端末でも高品質の印刷することができる。また、さらに本発明の他の態様として以下に記述すると、本発明の第４の態様としての印刷処理システムでは、印刷要求を行うクライアント端末と、前記印刷要求に伴い印刷を行うプリンタと、が接続される印刷処理システムであって、前記クライアント端末は、データを入力可能で且つ前記印刷要求を行うことが可能なデータ入力手段を有し、前記プリンタは、前記クライアント端末から受信した前記データをプリンタ記述言語に変換するための変換情報を記憶する記憶手段と、前記記憶手段から前記変換情報を読み出す変換情報提供手段と、前記データに対応する変換情報を、前記変換情報提供手段にて読み出された前記変換情報から検索するデータ変換情報検索手段と、前記データ変換情報検索手段の検索により選定された前記データに対応する変換情報に基づいて前記データを前記プリンタ記述言語に変換するデータ変換手段と、前記データ変換手段で変換された前記プリンタ記述言語を印刷する印刷手段と、を有することを特徴とする。この場合は、前記クライアント端末と前記プリンタとがネットワークを介して接続されても良い。また、第５の印刷システムの態様として、印刷要求を行うクライアント端末と、前記印刷要求に伴い印刷を行うプリンタと、前記クライアント端末及び前記プリンタとの通信が可能となるサーバと、がネットワークを介して接続される印刷処理システムであって、前記クライアント端末は、データを入力可能で且つ前記印刷要求を行うことが可能なデータ入力手段を有し、前記サーバは、前記データをプリンタ記述言語に変換するための変換情報を記憶する記憶手段と、前記記憶手段から前記変換情報を読み出す変換情報提供手段と、前記データに対応する変換情報を、前記変換情報提供手段にて読み出された前記変換情報から検索する印刷データ変換情報検索手段とを有し、前記プリンタは、前記サーバの前記印刷データ変換情報検索手段での検索により選定された前記データに対応する変換情報に基づいて前記データを前記プリンタ記述言語に変換する印刷データ変換手段と、前記印刷データ変換手段で変換された前記プリンタ記述言語を印刷する印刷手段とを有することを特徴とする。また、さらに第６の態様として、印刷要求を行うクライアント端末と、前記印刷要求に伴い印刷を行うプリンタと、前記クライアント端末及び前記プリンタとの通信が可能となるサーバと、がネットワークを介して接続される印刷処理システムであって、前記クライアント端末は、データを入力可能で且つ前記印刷要求を行うことが可能なデータ入力手段を有し、前記サーバは、前記データをプリンタ記述言語に変換するための変換情報を記憶する第１の記憶手段と、前記第１の記憶手段から前記変換情報を読み出す第１の変換情報提供手段と、前記データに対応する第１の変換情報を、前記第１の変換情報提供手段により読み出された前記変換情報から検索する第１の印刷データ変換情報検索手段と、前記第１の印刷データ変換情報検索手段での検索により選定された前記データに対応する第１の変換情報に基づいて、前記クライアントからの前記データを前記プリンタ記述言語に変換する第１の印刷データ変換手段と、を有し、前記プリンタは、前記データをプリンタ記述言語に変換するための変換情報を記憶する第２の記憶手段と、前記第２の記憶手段から前記変換情報を読み出す第２の変換情報提供手段と、前記印刷データに対応する第２の変換情報を、前記第２の変換情報提供手段にて読み出された前記変換情報から検索する第２の印刷データ変換情報検索手段と、前記第２の印刷データ変換情報検索手段での検索により選定された前記データに対応する第２の変換情報または前記サーバの前記第１の印刷データ変換情報検索手段での検索により選定された前記第１の変換情報に基づいて、前記クライアントからの前記データを前記プリンタ記述言語に変換する第２の印刷データ変換手段と、前記第２の印刷データ変換手段で変換された前記プリンタ記述言語または前記サーバの前記第１の印刷データ変換手段で変換された前記プリンタ記述言語を印刷する印刷手段と、を有することを特徴とする。他方、本発明の第１の態様のプリンタとしては、受信したデータをプリンタ記述言語に変換するための変換情報を記憶する記憶手段と、前記記憶手段から前記変換情報を読み出す変換情報提供手段と、前記データに対応する変換情報を、前記変換情報提供手段にて読み出された前記変換情報から検索するデータ変換情報検索手段と、前記データ変換情報検索手段の検索により選定された前記データに対応する変換情報に基づいて前記データを前記プリンタ記述言語に変換するデータ変換手段と、前記データ変換手段で変換された前記プリンタ記述言語を印刷する印刷手段と、を有することを特徴とする。また、本発明におけるサーバについては、データをプリンタ記述言語に変換するための変換情報を記憶する記憶手段と、前記記憶手段から前記変換情報を読み出す変換情報提供手段と、前記データに対応する変換情報を、前記変換情報提供手段にて読み出された前記変換情報から検索する印刷データ変換情報検索手段と、を有することを特徴とする。